(57)【要約】【課題】  ギャップを生じて隣接する一対の軒樋の長さ方向の端部を接続させる場合にも、軒樋の接続部分から軒樋内の雨水の漏れを防止できる軒樋の接続構造を提供する。【解決手段】  隣接する一対の軒樋１の長さ方向の端部同士を跨ぐようにして軒樋１の外周に外継手部材２を配置すると共に軒樋１の内周に内押え部材３を配置する。外継手部材２と内押え部材３とで軒樋１を内外に挟持する。挟持面となる外継手部材２の内面と内押え部材３の外面とにそれぞれ塗布した接着剤７で軒樋１と外継手部材２及び軒樋１と内押え部材３をそれぞれ接着する。内押え部材３の長さ方向の両側部に各軒樋１の内周に重合する内嵌部４をそれぞれ設ける。各内嵌部４を内押え部材３の長さ方向の中央に周方向に亘って設けた内外方向に弾性変形可能な弾性部５によって一体に連結する。各内嵌部４を各軒樋１の内周に個別に嵌合する。【選択図】        図１
2007315103.tif 000002
【特許請求の範囲】
【請求項１】
隣接する一対の軒樋の長さ方向の端部同士を跨ぐようにして軒樋の外周に外継手部材を配置すると共に軒樋の内周に内押え部材を配置し、外継手部材と内押え部材とで軒樋を内外に挟持し、挟持面となる外継手部材の内面と内押え部材の外面とにそれぞれ塗布した接着剤で軒樋と外継手部材及び軒樋と内押え部材をそれぞれ接着してなる軒樋の接続構造において、内押え部材の長さ方向の両側部に各軒樋の内周に重合する内嵌部をそれぞれ設けると共に、各内嵌部を内押え部材の長さ方向の中央に周方向に亘って設けた内外方向に弾性変形可能な弾性部によって一体に連結し、各内嵌部を各軒樋の内周に個別に嵌合して成ることを特徴とする軒樋の接続構造。
【請求項２】
内押え部材の弾性部における長さ方向の両端部に、周方向に亘って外方に突出する突条部をそれぞれ突設したことを特徴とする請求項１記載の軒樋の接続構造。
【発明の詳細な説明】
【技術分野】
【０００１】
本発明は、軒樋の接続構造に関するものである。
【背景技術】
【０００２】
図４のように、隣接する一対の軒樋１の長さ方向の端部同士を跨ぐようにして軒樋１の外周に外継手部材２を配置すると共に軒樋１の内周に内押え部材３を配置し、外継手部材２と内押え部材３とで軒樋１を内外に挟持し、挟持面となる外継手部材２の内面と内押え部材３の外面とにそれぞれ塗布した接着剤７で軒樋１と外継手部材２及び軒樋１と内押え部材３をそれぞれ接着してなる軒樋１の接続構造は、たとえば特許文献１にあるように知られている。
【０００３】
ところで、軒樋１はその長さ方向の数箇所で軒樋支持具によって軒先に固定されるのであるが、施工の行いにくい高所での軒樋１の軒樋支持具への取り付けには誤差が生じ易く、軒樋支持具への軒樋１の微小な取り付け誤差によっても長尺部材である軒樋１の長さ方向の端部は大きくぶれ易いことから、軒樋１の長さ方向の端部が施工予定位置からずれてしまうことはしばしば生じるものである。しかして、軒樋１の接続箇所において、図５のように、一対の軒樋１の長さ方向の端部がギャップ（内外方向への位置ずれ）を生じて隣接する状態になることはしばしば有り得ることである。
【０００４】
このようなギャップを生じて隣接した一対の軒樋１の長さ方向の端部を接続する場合、上記図４のような接続構造を採用することで、内押え部材３と外継手部材２とで軒樋１を内外に挟持させて軒樋１の端部間のギャップをいくらか矯正して接続することができる。しかも軒樋１の端部の外側には外継手部材２が被さるように配置されるから軒樋１の端部間のギャップを外観に露出させずに軒樋１の接続部分に良好な外観も確保できる。しかしながら、このギャップが大きい場合には止水性の点で十分に対応できるものではなかった。
【０００５】
つまり、図５のように軒樋１の端部間にギャップがある場合には、内押え部材３及び外継手部材２と各軒樋１との間には場所によって幅の異なる隙間が生じるのであるが、軒樋１の端部間のギャップが大きいと上記隙間幅の違いも大きく、たとえば隙間幅の大きな隙間（図中イ部分）では、接着剤７が隙間の幅を充分に埋めることができずに止水が破れてしまう場合がある。また逆に隙間幅の小さな隙間（図中ロ部分）では、軒樋１に対して内押え部材３や外継手部材２を近接させた際に、幅の小さい隙間を介して対向する軒樋１と内押え部材３（外継手部材２）とが、幅の大きい隙間を介して対向する軒樋１と内押え部材３（外継手部材２）とよりも早いタイミングで且つ強い当接力で当接するのであり、この軒樋１と内押え部材３（外継手部材２）とにより挟持された接着剤７がこの隙間から軒樋１の内側や外側に逃げてしまい、結果、この隙間では少量の接着剤７で軒樋１と内押え部材３（外継手部材２）とが接着されることとなって所定の止水性が得られない場合がある。更に言うと、一旦、内押え部材３と軒樋１との隙間から内押え部材３と外継手部材２との間に侵入した雨水は、蒸発しにくくて、長期にわたって内押え部材３と外継手部材２との間に在り続けることとなる。この長期にわたって在り続ける雨水は、徐々に接着剤７を劣化させて接着剤７の止水性能を低下させてしまうのである。上記のような理由の結果、軒樋１の接続部分での止水性が低下して軒樋１内の雨水Ｂ（図５）が外方へ漏れ出るようになってしまう恐れがあるのであった。
【特許文献１】特開２００４−８４２３０号公報
【発明の開示】
【発明が解決しようとする課題】
【０００６】
本発明は上記の従来の問題点に鑑みて為したものであって、ギャップを生じて隣接する一対の軒樋の長さ方向の端部を接続させる場合にも、軒樋の接続部分から軒樋内の雨水の漏れを防止できる軒樋の接続構造を提供することを課題とするものである。
【課題を解決するための手段】
【０００７】
上記課題を解決するために本発明の請求項１に係る軒樋の接続構造は、隣接する一対の軒樋１の長さ方向の端部同士を跨ぐようにして軒樋１の外周に外継手部材２を配置すると共に軒樋１の内周に内押え部材３を配置し、外継手部材２と内押え部材３とで軒樋１を内外に挟持し、挟持面となる外継手部材２の内面と内押え部材３の外面とにそれぞれ塗布した接着剤７で軒樋１と外継手部材２及び軒樋１と内押え部材３をそれぞれ接着してなる軒樋１の接続構造において、内押え部材３の長さ方向の両側部に各軒樋１の内周に重合する内嵌部４をそれぞれ設けると共に、各内嵌部４を内押え部材３の長さ方向の中央に周方向に亘って設けた内外方向に弾性変形可能な弾性部５によって一体に連結し、各内嵌部４を各軒樋１の内周に個別に嵌合して成ることを特徴とする。
【０００８】
これによると、接続させる一対の軒樋１の長さ方向の端部がギャップを生じて隣接する場合にも、内押え部材３は弾性部５を内外方向に弾性変形させて各内嵌部４を各軒樋１の位置に合わせて各軒樋１の内周にそれぞれ個別に嵌合させることができるから、接着剤７が充填する内嵌部４と軒樋１の各隙間を略一定幅にでき、つまり内押え部材３と各軒樋１とを所定量の接着剤７で止水を確保しつつ接着させることが可能にされているのであり、しかして内押え部材３と外継手部材２との間への軒樋１内の雨水の侵入を防止できて、軒樋１の接続部分での漏水を防止することができたものである。
【０００９】
また、請求項２に係る軒樋の接続構造は、請求項１において、内押え部材３の弾性部５における長さ方向の両端部に、周方向に亘って外方に突出する突条部６をそれぞれ突設したことを特徴とする。
【００１０】
これによると、内押え部材３の内嵌部４を軒樋１の内周に嵌合させたときには各突条部６を各軒樋１の内周に周方向に亘って弾接した状態にできるから、この突条部６自身をパッキン材として機能させることができるのであり、また、接着剤７は内嵌部４の外面や外継手部材２の内面に周方向に亘るように塗布されるのが好ましいが、この接着剤７の塗布施工は現場施工であって施工ミスなどにより止水切れを招く接着剤７の途切れ部分を発生させてしまう場合もあるが、この場合にも軒樋１と内嵌部４とで挟持されて四方に広がる接着剤７のうち長さ方向の中央側に広がる接着剤７を、上記軒樋１の内周に周方向に亘って弾接する突条部６によって堰き止めてその広がり方向を周方向にすることができるから、接着剤7を内嵌部４と軒樋１との間に周方向に亘って途切れなく介在させることができて止水性を確保することができるのであり、つまり軒樋１と内押え部材３との間を接着剤７と突条部６とで２重に止水をすることができて、しかして内押え部材３と外継手部材２との間への軒樋１内の雨水の侵入を効果的に防止できて、軒樋１の接続部分での漏水防止効果を向上させることができたものである。
【発明の効果】
【００１１】
本発明は、ギャップを生じて隣接する一対の軒樋の長さ方向の端部を接続させる場合にも、軒樋の接続部分から軒樋内の雨水の漏れを防止できる、という利点を有する。
【発明を実施するための最良の形態】
【００１２】
以下、本発明を添付図面に示す実施形態に基いて説明する。
【００１３】
図１のように、本例の軒樋１の接続構造にあっては、長さ方向の端部同士を突き合わせるようにして略一直線上に隣接して配置した一対の軒樋１を接続するのに、この隣接する一対の軒樋１の長さ方向の端部同士を跨ぐようにして軒樋１の外周に外継手部材２を配置すると共に軒樋１の内周に内押え部材３を配置し、外継手部材２と内押え部材３とで軒樋１を内外に挟持し、挟持面となる外継手部材２の内面と内押え部材３の外周とにそれぞれ塗布した接着剤７で軒樋１と外継手部材２及び軒樋１と内押え部材３をそれぞれ接着することで、行わせている。
【００１４】
詳しくは、長尺の軒樋１は、建物の外方側に面して位置する前壁１０、建物の内方側に面して位置する後壁１１、前壁１０と後壁１１の各下端を接続する底壁１２によって断面略Ｕ字状に主体が構成されており、前壁１０の上端部には軒樋１の内側に突出形成した前耳部１３が設けられ、後壁１１の上端には軒樋１の内側に突出形成した後耳部１４が設けられている。ここで、一対の軒樋１を接続させる際の一対の軒樋１の隣接方向は軒樋１の長尺方向であって便宜上、長さ方向と称し、また後述の周方向は前壁１０から底壁１２を経て後壁１１に至る方向を言うものとする。
【００１５】
外継手部材２は、軒樋１と同様、前壁２０、後壁２１及び底壁２２によって断面略Ｕ字状に主体が構成されており、前壁２０の上端部には軒樋１の前耳部１３に係止する前耳係止部２３が設けられ、後壁１１の上端部には軒樋１の後耳部１４に係止する後耳係止部２４が設けられている。外継手部材２は接着剤７の塗布される内面形状が軒樋１の外面形状と略同形状に施されており、つまり前耳係止部２３を軒樋１の前耳部１３に係止させると共に後耳係止部２４を軒樋１の後耳部１４に係止させることで、外継手部材２は軒樋１の外周に被さるように嵌着される。
【００１６】
内押え部材３は、図２のように、その長さ方向の両側部に各軒樋１の内周に重合する内嵌部４をそれぞれ設けると共に、これら各内嵌部４を内押え部材３の長さ方向の中央に周方向に亘って設けた弾性部５によって一体に連結して構成されている。詳しくは、軒樋１の内周に重合する内嵌部４は、接着剤７が塗布される外面形状が軒樋１の内面形状と略同形状に施されており、すなわち軒樋１と同様に、前壁３０、後壁３１及び底壁３２によって断面略Ｕ字状に形成されている。なお、前壁３０の上端部には前側係止部３３が設けられ、後壁の上端部には後側係止部３４が設けられている。内嵌部４は、軒樋１や外継手部材２と同様に硬質塩化ビニル等の硬質樹脂で構成されている。これに対して、弾性部５は、軟質塩化ビニルや熱可塑性エラストマー等の軟質樹脂で構成されており、少なくとも内外方向に弾性変形可能にされている。この自然状態にある弾性部５の形状は内嵌部４に準じた断面形状（略同形状の断面形状）に施されている。弾性部５と内嵌部４とは、接着剤７による接合、２色成形による接合、内嵌部４に穿孔した孔に弾性部５の一部を嵌め込ませた機械的接合等の任意の接合構造によって一体化されている。また、弾性部５の長さ方向の両端部には、周方向に亘って外方に突出する突条部６がそれぞれ一体に突設されている。
【００１７】
この内押え部材３は、弾性部５を一対の軒樋１の長さ方向の端部に跨るように軒樋１の内側に配置すると共に各内嵌部４をそれぞれ個別に各軒樋１の内周に嵌合するようにして、軒樋１の内周に配置される。ここで、内嵌部４の軒樋１のへの内嵌構造としては、各内嵌部４の前側係止部３３や後側係止部３４を各軒樋１の前耳部１３や後耳部１４にそれぞれ係止させることで軒樋１毎にそれぞれ内嵌部４を直接嵌合してもよいし、各内嵌部４の前側係止部３３や後側係止部３４を軒樋１に外嵌した外継手部材２の前耳係止部２３や後耳係止部２４にそれぞれ係止させて外継手部材２を介して軒樋１毎にそれぞれ内嵌部４を嵌合させるようにしてもよい。
【００１８】
上記のように内押え部材３は、長さ方向の両側部の内嵌部４を長さ方向の中央部の弾性部５で一体に接続して構成されているから、弾性部５を内外方向に弾性変形させることで、一方の内嵌部４が他方の内嵌部４に対してその内外方向に位置をずらすように形状を変化させることができる。つまり、内押え部材３は、図３のように、接続させる一対の軒樋１の長さ方向の端部がギャップ（位置ずれ）を生じて隣接した状態になっている場合にも、このギャップに合わせて弾性部５を内外方向に弾性変形させて、各内嵌部４を各軒樋１の位置に位置させてそれぞれ軒樋１の内周に嵌合させることができるようになっている。このように、接続させる一対の軒樋１の長さ方向の端部がギャップを生じて隣接する場合にも、内押え部材３は弾性部５を内外方向に弾性変形させて各内嵌部４を各軒樋１の位置に合わせて各軒樋１の内周にそれぞれ個別に嵌合させることができるから、接着剤７が充填する内嵌部４と各軒樋１の各隙間を略一定幅にできたものである。つまり、内押え部材３と各軒樋１とを所定量の接着剤７で止水を確保しつつ接着させることが可能にされているのであり、しかして、内押え部材３と外継手部材２との間への軒樋１内の雨水の侵入が防止されているのであって（矢印Ａ）、軒樋１の接続部分での漏水が防止されているのである。
【００１９】
なお、隣接する軒樋１の間のギャップが大きい場合には、軒樋１において内側に位置している部位と外側に位置している部位との差が大きく、内押え部材３を軒樋１の内周に配置するために内押え部材３を軒樋１に近接させる際には、上記軒樋１の内側に位置している部位に対して内押え部材３の内嵌部４が早いタイミングで且つ強い当接力で当接するのであり、接着剤７が軒樋１と内嵌部４とで強く挟持されてこの軒樋１と内嵌部４との間から逃げてしまって、その結果、軒樋１と内嵌部４との間に比較的少量の接着剤しか残らない状態に陥ることもある。ここで、接着剤７は内嵌部４の外面や外継手部材２の内面に周方向に亘るように塗布されるのが好ましいが、この接着剤７の塗布施工は現場施工であって施工ミスなどにより接着剤７の途切れ部分が発生する状態もある。上記２つの状態が同時に生じた際には、軒樋１と内嵌部４との間には所定の止水性能が得られない恐れが高いのであるが、本例では上記恐れも有効に回避可能にされている。
【００２０】
つまり、内押え部材３の弾性部５における長さ方向の両端部に周方向に亘って外方に突出する突条部６をそれぞれ突設しているから、内押え部材３の各内嵌部４を各軒樋１に嵌合させた際に各突条部６を各軒樋１の内周に周方向に亘って弾接させることができるのである。つまり、突条部６自身をパッキン材として機能させることができるのである。また、軒樋１と内嵌部４とで挟持されて四方に広がる接着剤７のうち長さ方向の中央側に広がる接着剤７は、上記軒樋１の内周に周方向に亘って弾接する突条部６によって堰き止めてその広がり方向を周方向に向けることができるから、比較的少量の接着剤７であっても接着剤7を内嵌部４と軒樋１との間に周方向に亘って途切れなく介在させることが可能にされている。つまり、比較的少量の接着剤７であっても軒樋１と内嵌部４との間には比較的強固な止水性能が確保できたものである。このように、軒樋１と内押え部材３との間を接着剤７と突条部６とで２重に止水をすることができたものであり、したがって、内押え部材３と外継手部材２との間への軒樋１内の雨水の侵入を効果的に防止できて、軒樋１の接続部分での漏水防止効果を向上させることができたものである。
【図面の簡単な説明】
【００２１】
【図１】本発明の実施の形態の例の軒樋の接続部分の分解斜視図である。
【図２】同上の内押え部材であって、（ａ）は全体斜視図であり、（ｂ）は断面図である。
【図３】同上の軒樋の接続施工を説明する説明図である。
【図４】従来技術の例の軒樋の接続部分の分解斜視図である。
【図５】同上の軒樋の接続施工を説明する説明図である。
【符号の説明】
【００２２】
１  軒樋
２  外継手部材
３  内押え部材
４  内嵌部
５  弾性部
６  突条部
７  接着剤
【図１】
2007315103.tif 000003
【図２】
2007315103.tif 000004
【図３】
2007315103.tif 000005
【図４】
2007315103.tif 000006
【図５】
2007315103.tif 000007